(57)【特許請求の範囲】
【請求項１】
左右に側板を有するリール本体と、前記リール本体の前記側板間に回転可能に支持される釣糸巻回用のスプールと、前記スプールを回転させるために前記リール本体の一側に設けられるハンドルとを備える両軸受型リールにおいて、
前記ハンドルが位置する側と反対側の側面視円形状に形成された前記側板の外周面の軸方向外側の縁部に、この側板とは反対側の側板の側から前記リール本体を握持保持した手の親指以外の指の指先の腹部が掛止可能な凹状の指掛け部が設けられ、前記指掛け部は、内側に窪んだテーパ円弧状の曲面によって形成されて、側面視で前記縁部を凹状に形成することを特徴とする両軸受型リール。
【発明の詳細な説明】
【技術分野】
【０００１】
本発明は、両軸受型リールに関し、特に、リール本体を握って保持する際の握持保持性を向上させる両軸受型リールに関する。
【背景技術】
【０００２】
両軸受型リールは、一般に、釣糸を巻回するスプールがリール本体の左右側板間に回転可能に設けられ、スプールと一体回転するスプール軸の両側が軸受を介してリール本体に支持されて成る（例えば、特許文献１参照）。
【０００３】
このような両軸受型リールの実釣時における魚釣り操作では、釣糸放出操作および釣糸巻取操作が一連の動作の中で行なわれる。この場合、釣糸放出操作は、例えば、フリー回転（クラッチＯＦＦ）状態にあるスプールの過回転（バックラッシュ）を防止するべくスプールを一方の手の親指でサミンング操作しつつ、その手で釣竿と共にリール本体を握持保持して行なわれる。一方、釣糸巻取操作は、反ハンドル側のリール本体を釣竿と共に一方の手で握持保持しつつ、他方の手でハンドルを操作することにより行なわれる。
【先行技術文献】
【特許文献】
【０００４】
【特許文献１】特開２０１０−８１８８３号公報
【発明の概要】
【発明が解決しようとする課題】
【０００５】
ところで、前述した釣糸放出操作時および釣糸巻取操作時においてリール本体を握持保持する際には、リール本体の前記側板の外側の外周部を手の指先の腹部で押し付けて動かないように保持する。このような保持形態は、特に、ベイトキャスティングリールなどにおいてリール全体を手で握り込むパーミング操作などでは、リール全体を安定且つ強固に握持保持するために重要である。
【０００６】
しかしながら、一般に、両軸受型リールは、特許文献１においても見られるように、リール本体の側板の外周縁部が僅かに丸みを帯び（外側に円弧状に膨出する凸部を成し）、あるいは、側板の外周縁部に僅かに直線状の面取りが施されているにすぎず、したがって、このような側板の外周縁部の形態では、これを指先の腹部で押し付けて動かないように保持しようとしても、指の引っ掛かりが悪く、しっかりと保持することが難しい。そのため、特にリール全体を手で握り込むパーミング操作における握持保持性（パーミング性能）が劣るとともに、指先での保持がぎこちなくなって、長時間握り込むと指が痛くなり易く、魚釣り操作を長時間にわたって円滑に行なえない。
【０００７】
本発明は、上記した問題に着目してなされたものであり、釣糸放出操作および釣糸巻取操作においてリール本体を握り込むときの指先の引っ掛かりを良好にして、リール本体の握持保持性を向上させることができる両軸受型リールを提供することを目的とする。
【課題を解決するための手段】
【０００８】
上記した目的を達成するために、本発明は、左右に側板を有するリール本体と、前記リール本体の前記側板間に回転可能に支持される釣糸巻回用のスプールと、前記スプールを回転させるために前記リール本体の一側に設けられるハンドルとを備える両軸受型リールにおいて、前記ハンドルが位置する側と反対側の側面視円形状に形成された前記側板の外周面の軸方向外側の縁部に、この側板とは反対側の側板の側から前記リール本体を握持保持した手の親指以外の指の指先の腹部が掛止可能な凹状の指掛け部が設けられ、前記指掛け部は、内側に窪んだテーパ円弧状の曲面によって形成されて、側面視で前記縁部を凹状に形成することを特徴とする。
【０００９】
上記構成によれば、ハンドルが位置する側と反対側の側面視円形状に形成された側板の外周面の軸方向外側の縁部に、リール本体を握持保持した手の指先の腹部が掛止される凹状の指掛け部が設けられ、指掛け部が内側に窪んだテーパ円弧状の曲面によって形成されるため、釣糸放出操作および釣糸巻取操作においてリール本体を握り込むときの指先の引っ掛かりを良好にして、リール本体の握持保持性を向上させることができる。すなわち、凹状の指掛け部の存在により、リール本体を握持保持した手の指先の腹部で容易に且つ強固に側板の縁部を押し付けて動かないように保持することができ、そのため、特にリール全体を手で握り込むパーミング操作における握持保持性（パーミング性能）が極めて良好となり、長時間握り込んでも指に痛みが生じ難く、魚釣り操作を長時間にわたって円滑に行なうことが可能となる。
【発明の効果】
【００１０】
本発明によれば、釣糸放出操作および釣糸巻取操作においてリール本体を握り込むときの指先の引っ掛かりを良好にして、リール本体の握持保持性を向上させることができる両軸受型リールが得られる。
【図面の簡単な説明】
【００１１】
【図１】本発明の一実施形態に係る両軸受型リールをハンドル側で斜め上方から見た斜視図である。
【図２】図１の両軸受型リールを反ハンドル側で斜め下方から見た斜視図である。
【図３】図１の両軸受型リールの正面図（前方から見た図）である。
【図４】図１の両軸受型リールの背面図（後方から見た図）である。
【図５】図１の両軸受型リールの上面図である。
【図６】図１の両軸受型リールの下面図である。
【図７】釣竿と共にリールを握り込む手が一点鎖線で示される、図１の両軸受型リールをハンドル側から見た側面図である。
【図８】図１の両軸受型リールを反ハンドル側から見た側面図である。
【図９】側板の外周面の縁部に設けられる凹状の指掛け部の要部拡大断面図（指掛け部の断面の曲線形状を明確にするために、便宜上、側板の他の部位の外形が破線で示される）である。
【図１０】指先の腹部が掛止された状態で示される、側板の膨出部の外周面の縁部に設けられる凹状の指掛け部の要部拡大断面図（指掛け部の断面の曲線形状を明確にするために、便宜上、膨出部の他の部位の外形が破線で示される）である。
【図１１】サムレストまたは連結部と側板の外周面との接続部を形成する凹状の指掛け部の要部拡大断面図（指掛け部の断面の曲線形状を明確にするために、便宜上、サムレストまたは連結部および側板の他の部位の外形が破線で示される）である。
【図１２】調節ネジの外周面の縁部に設けられる凹状の指掛け部の要部拡大断面図（指掛け部の断面の曲線形状を明確にするために、便宜上、調節ネジの他の部位の外形が破線で示される）である。
【図１３】側板の外周面の軸方向外側縁部に設けられる凹状の指掛け部に指先の腹部が掛止された状態を示す要部拡大図である。
【発明を実施するための形態】
【００１２】
以下、図面を参照しながら、本発明に係る両軸受型リールの一実施形態について詳しく説明する。
図１〜図８に示されるように、両軸受型リール１のリール本体１０は、左右一対の側板２，４（例えば、内側フレームとこれを覆う外側カバーとから成ってもよく、あるいは、一体構造を成してもよい）が釣竿Ｒ（図７参照）に取り付けられるリール取付脚部６により連結されて一体の枠体構造を形成するフレーム８を有する。なお、リール取付脚部６は、別体として形成されて、ネジ締結等により側板２，４に連結されてもよい。
【００１３】
後述するハンドル１５が位置する側と反対側の左側板２は、本実施形態では、円形または円筒状に形成され（側面視円形状に形成され）、一方、ハンドル１５が位置される側にある右側板４は、特に図１，７，８に示されるように、円筒状部の一部を径方向外方および軸方向外方に膨出させた異形形状に形成されている。なお、本明細書中において、左右、上下、前後の方向は、図１に矢印で示される方向として規定されるものとする。
【００１４】
左右の側板２，４間には、釣糸が巻回されるスプール１２が回転自在に支持される。スプール１２は、一対の鍔部１２ａ，１２ａ間に釣糸が巻回される胴部１２ｂを有し、このスプール１２を回転駆動する巻き取り駆動機構が右側板４の内部空間に収容される（巻取り駆動機構を構成するドライブギア２９およびハンドル軸１５ａが図３に示される）。また、この巻き取り駆動機構には、ハンドル１５が連結されており、ハンドル１５を回転操作することにより前記巻き取り駆動機構を介してスプール１２を回転させることができるようになっている。
【００１５】
なお、右側板４の前記内部空間には、前記巻き取り駆動機構の他、スプール１２の胴部１２ｂ上に釣糸を均等に巻回するレベルワインド機構Ｌやドラグ機構等を構成する各種の構成部材も収容される。レベルワインド機構Ｌは、側板２，４間で延びるとともに前記巻き取り駆動機構と連動して回転する螺軸と、螺軸により案内されつつ筒体２１上で左右に往復動するラインガイド２２とを有する。
【００１６】
スプール１２と一体回転する図示しないスプール軸には、ハンドル１５により回転駆動される図示しないピニオンが係脱可能に係合できるようになっている。具体的には、側板２，４間に配置されたクラッチレバー１４を介して図示しないクラッチ機構をＯＮ／ＯＦＦ操作することにより、前記ピニオンは、前記スプール軸と係合してスプール軸と一体的に回転する係合位置と、スプール軸との係合状態が解除される非係合位置との間で移動できる。
【００１７】
前記非係合位置（クラッチＯＦＦ）では、ハンドル１５の回転がスプール１２に伝わらず、したがって、スプール１２がフリー回転状態となって、スプール１２から釣糸を放出できる釣糸放出操作を行なうことができる。一方、前記係合位置（クラッチＯＮ）では、ハンドル１５の回転がスプール１２に伝わり、したがって、釣糸をスプール１２に巻き取る釣糸巻取操作を行なうことができる。なお、スプール１２が自由に回転できるクラッチＯＦＦ状態でハンドル１５を回転操作することにより自動的にクラッチＯＮ状態に戻す公知の自動復帰機構が設けられてもよい。また、本実施形態では、右側板４（具体的には、右側板４の後述する膨出部）の外側面に設けられた調節ネジ１９を介して前記スプール１２と一体化した図示しないスプール軸の端部を押圧し、スプール軸に作用する摩擦力（スプール１２の回転に対する制動力）を調整できるようになっている。
【００１８】
また、ハンドル１５のハンドル軸１５ａ（図３参照）には、前記ドラグ機構と共に前記巻き取り駆動機構の一部を形成するドライブギア２９（図３参照）が回転可能に装着されており、ハンドル軸１５ａ上でスタードラグ２７を回転することにより、ハンドル軸１５ａに対するドライブギア２９の摩擦結合力を変え、所望のドラグ力に調整することができる。これにより、ハンドル１５の回転操作による駆動力は、前記ドラグ機構を介してドライブギア２９に伝達され、このドライブギア２９から前記ピニオンギアと前記スプール軸とを介してスプール１２に伝達される。
【００１９】
また、本実施形態の両軸受型リール１は、キャスティング操作（釣糸放出操作）や釣糸巻取操作の操作性の向上を図るために、リール本体１０の外径をコンパクト化し、回転伝達効率を向上させるために、ドライブギア２９を大型化してある。このため、右側板４は、リール本体１０の後方かつ上方の部位でスプール軸を囲むその円筒状部３０に対して、ドライブギア２９を囲む前方かつ下方部位が径方向外方および軸方向外方に膨出した異形の周壁からなる膨出部３２を有しており、この膨出部３２内にドライブギア２９が収容されている。
【００２０】
また、図３に明確に示されるように、側板２，４間には、左右方向に延びる一対の支柱４０，４２が架設される。これらの上側支柱４０および下側支柱４２（左右側板２，４間を連結する連結部）は例えば互いに平行に配置されており、上下に対向するこれらの支柱４０，４２と左右の両側板２，４とにより、ラインガイド２２を取り囲んでスプール１２から釣糸を放出するための釣糸放出開口窓Ｓが画定されている。
【００２１】
なお、スプール１２の上部前方に位置する上側支柱４０の上面は、後方からリール本体１０を握持保持した手の親指を容易に載置できるようにする平坦状のサムレストとして形成される。このサムレストは、例えば、取付脚部６を介して取付けられる釣竿Ｒに沿って前後方向に延び、スプール軸に沿って左右に延びる略横長の形状に形成してある。
【００２２】
また、上記構成の本実施形態の両軸受型リール１では、リール本体１０を（例えば釣竿Ｒと共に）握持保持した手の指先の腹部が掛止できるリール本体１０の部位、具体的には、左右側板２，４の少なくとも一方の外周面２ａ，４ａの縁部に、凹状の指掛け部が設けられる。そのような凹状の指掛け部としては、例えば、反ハンドル側に位置される左側板２の外周面２ａの軸方向外側の縁部に設けられる凹状の指掛け部５０と、ハンドル側に位置される右側板４の外周面の軸方向外側の縁部に設けられる凹状の指掛け部、具体的には、円筒状部３０の外周面４ａの軸方向外側の縁部に設けられる凹状の指掛け部５１及び／又は膨出部３２の外周面３２ａの軸方向外側の縁部に設けられる凹状の指掛け部５２と、サムレストを形成する上側支柱４０と左右側板２，４の少なくとも一方の外周面（本実施形態では、左右側板２，４の両方の外周面２ａ，４ａ）との接続部Ｃ１を形成する、側板２，４の外周面の軸方向内側の縁部に設けられる凹状の指掛け部５４と、連結部を形成する下側支柱４２と左右側板２，４の少なくとも一方の外周面（本実施形態では、左右側板２，４の両方の外周面２ａ，４ａ）との接続部Ｃ２を形成する、側板２，４の外周面の軸方向内側の縁部に設けられる凹状の指掛け部５５とを挙げることができる。
【００２３】
これらの凹状の指掛け部５０，５１，５２，５４，５５は、例えば、図９〜図１１に拡大して明確に示されるように（これらの図では、指掛け部の断面の曲線形状を明確にするために、便宜上、指掛け部が形成される部材の指掛け部以外の部位の外形が破線で示される）、内側に窪んだテーパ円弧状の曲面によって形成されてもよい。しかしながら、凹状の指掛け部５０，５１，５２，５４，５５はＶ字形の凹み等であってもよい。また、凹状の指掛け部５０，５１，５２，５４，５５は、図示のような所定の曲率半径を有する単一の円弧状曲面に限らず、曲率半径が異なる複数の曲面の組み合わせや直線と曲線との組み合わせなどの複合面から成っていてもよく、要は、凹状形態を成して、リール本体１０を握持保持した手の指先の腹部が掛止できる形態であればよい。また、側板２，４の外周面の軸方向外側の縁部に設けられる凹状の指掛け部５０，５１，５２は、側板２，４の全周にわたって設けられてもよく、あるいは、外周の一部のみにわたって設けられてもよい。
【００２４】
また、本実施形態では、指掛け部５０，５１，５２，５４，５５の全てが設けられるように図示されているが、リールの用途や想定される握り形態に応じてこれらの指掛け部５０，５１，５２，５４，５５の一部だけが設けられてもよい。例えば、釣人が右利きで右投げ右巻きの場合、釣人が右利きで右投げ左巻きの場合、釣人が左利きで左投げ左巻きの場合、釣人が左利きで左投げ右巻きの場合など、あらゆる握り方を想定して、リール本体の左側板２の側から或いは右側板４の側からリール本体１０を手で握り込む際にその手の指先の腹部が引っ掛かるリール本体の各部に凹状の指掛け部を設ける。
【００２５】
また、このように様々な握り方を想定し、指掛け部５０，５１，５２，５４，５５に加えて、リール本体の他の部位、例えば、右側板４の膨出部３２の外側面に設けられた調節ネジ１９の外周面１９ａの軸方向外側の縁部に凹状の指掛け部５３が設けられてもよいことは言うまでもない。この指掛け部５３も、図１２に拡大して示されるように内側に窪んだテーパ円弧状の曲面によって形成されてもよく、また、外周面１９ａの全周にわたって設けられてもよく、あるいは、外周１９ａの一部のみにわたって設けられてもよい。
【００２６】
図７には、リール本体１０を左手Ｈで握り込む握り方の一例が示されている。この例において、釣人は、左側板２側から左手Ｈでリール本体１０を釣竿Ｒと共に握持保持し、その左手Ｈの親指Ｆ１をサムレストである上側支柱４０と右側板４の外周面４ａとの接続部Ｃ１を形成する凹状の指掛け部５４に或いは右側板４の円筒状部３０の凹状の指掛け部５１に上側から押し付けることともに、その人差し指Ｆ２及び／又はその他の指を右側板４の円筒状部３０の凹状の指掛け部５１及び／又は膨出部３２の凹状の指掛け部５２に下側から押し付ける。この場合、左側板２が側面視で円形に形成されているため、手の平全体でリール本体１０を包み込むようにしっかりと容易に握持保持して釣糸放出操作および釣糸巻取操作を行なうことができるとともに、指掛け部５１，５２，５４が凹状（本実施形態では、テーパ円弧状の曲面）に形成されているため、例えば図１０に示されるように指先Ｆ２の腹部が下側に形成した凹状の指掛け部５２にしっかりと掛止され（指の引っ掛かりが良く）、リール本体を動かないように強固に保持することができる。
【００２７】
一方、右側板４側から右手でリール本体１０を釣竿Ｒと共に握持保持する場合も同様である。その場合には、例えば、右手の親指をサムレストである上側支柱４０と左側板２の外周面２ａとの接続部Ｃ１を形成する凹状の指掛け部５４または左側板２の凹状の指掛け部５０に上側から押し付けることともに、それ以外の指の腹部を左側板２の外周面２ａの縁部に形成した凹状の指掛け部５０に下側から押し付けて掛止することで、リール本体１０を包み込むようにしっかりと容易に握持保持して釣糸放出操作および釣糸巻取操作を行なうことができる。図１３には、この場合において、指先Ｆ２の腹部が凹状の指掛け部５０にしっかりと下側から掛止された状態が示されている。
【００２８】
以上説明したように、本実施形態によれば、リール本体１０を握持保持した手の指先の腹部が掛止される凹状の指掛け部５０，５１，５２，５３，５４，５５が左右側板２，４の少なくとも一方の外周面の縁部に設けられるため、釣糸放出操作および釣糸巻取操作においてリール本体１０を握り込むときの指先の引っ掛かりを良好にして、リール本体１０の握持保持性を向上させることができる。すなわち、凹状の指掛け部５０，５１，５２，５３，５４，５５の存在により、リール本体１０を握持保持した手の指先の腹部で容易に且つ強固に側板２，４の縁部を押し付けて動かないように保持することができ、そのため、特にリール全体１０を手で握り込むパーミング操作における握持保持性（パーミング性能）が極めて良好となり、長時間握り込んでも指に痛みが生じ難く、魚釣り操作を長時間にわたって円滑に行なうことが可能となる。
【００２９】
なお、側板２，４の外周縁部に凹状の指掛け部５０，５１，５２，５３，５４，５５を形成することにより、握持保持性の向上に加えて更に、側面視で外周縁部を凹状に形成した分、リール本体の小型化のイメージが得られ、コンパクトなリールの外観となる。
【００３０】
以上、本発明の実施形態について説明したが、本発明は、前述した実施形態に限定されず、その要旨を逸脱しない範囲で種々変形して実施可能である。例えば、リール本体の幾何学的形態は前述した実施形態の形態に限定されない。本発明（凹状の指掛け部）は様々な幾何学的形態および寸法のリール本体に適用できる。また、そのようなリール本体の幾何学的形態に応じて凹状の指掛け部を設ける部位を任意に選定できる。
【符号の説明】
【００３１】
１  両軸受型リール
２，４  側板
２ａ，４ａ  外周面
１０  リール本体
１２  スプール
１５  ハンドル
３２  膨出部
４０  上側支柱（サムレスト）
４２  下側支柱（連結部）
５０，５１，５２，５３，５４，５５  指掛け部Ｃ１，Ｃ２  接続部
Ｓ  釣糸放出開口窓
【図１】
0006804831.tif 000002
【図２】
0006804831.tif 000003
【図３】
0006804831.tif 000004
【図４】
0006804831.tif 000005
【図５】
0006804831.tif 000006
【図６】
0006804831.tif 000007
【図７】
0006804831.tif 000008
【図８】
0006804831.tif 000009
【図９】
0006804831.tif 000010
【図１０】
0006804831.tif 000011
【図１１】
0006804831.tif 000012
【図１２】
0006804831.tif 000013
【図１３】
0006804831.tif 000014